(57)【要約】【課題】制御回路の動作不良の発生を抑制できる点灯装置を提供する。【解決手段】点灯装置１０は、交流電力を直流電力に変換する直流電源２０と、直流電源２０を制御することによって、発光素子４に供給する電流値を調整する第一点灯制御回路４１と、第一点灯制御回路４１を制御する第二点灯制御回路４２と、第一点灯制御回路４１に第一電圧を供給する第一制御電源３１と、第一電圧を供給されて、第二点灯制御回路４２に第二電圧を供給する第二制御電源３２と、第一電圧が第一閾値より高い値から第一閾値以下の値に低下したことを検知した場合に、第二制御電源３２に第二電圧の供給を停止させ、第一電圧が第二閾値未満の値から前記第二閾値以上の値に上昇したことを検知し、かつ、第二電圧が第三閾値より高い場合に、第二電圧が第三閾値以下に低下した後に第二制御電源３２に第二電圧の供給を開始させるリセット回路５０とを備える。【選択図】図１
2018133220.tif 000002
【特許請求の範囲】
【請求項１】
交流電力を供給されて発光素子に直流電力を供給する点灯装置であって、
前記交流電力を直流電力に変換する直流電源と、
前記直流電源を制御することによって、前記発光素子に供給する電流値を調整する第一点灯制御回路と、
前記第一点灯制御回路を制御する第二点灯制御回路と、
前記第一点灯制御回路に第一電圧を供給する第一制御電源と、
前記第一電圧を供給されて、前記第二点灯制御回路に第二電圧を供給する第二制御電源と、
前記第一電圧が第一閾値より高い値から前記第一閾値以下の値に低下したことを検知した場合に、前記第二制御電源に前記第二電圧の供給を停止させ、前記第一電圧が第二閾値未満の値から前記第二閾値以上の値に上昇したことを検知し、かつ、前記第二電圧が第三閾値より高い場合に、前記第二電圧が前記第三閾値以下に低下した後に前記第二制御電源に前記第二電圧の供給を開始させるリセット回路とを備える
点灯装置。
【請求項２】
前記リセット回路は、前記第一電圧が第二閾値未満の値から前記第二閾値以上の値に上昇したことを検知した時点から、第一遅延時間経過後に前記第二制御電源に前記第二電圧の供給を開始させる
請求項１に記載の点灯装置。
【請求項３】
前記第二点灯制御回路は、外部からの入力信号に基づいて前記第一点灯制御回路へ前記発光素子の点灯、消灯又は調光を指令する指令信号を出力する無線通信用集積回路を有する
請求項２に記載の点灯装置。
【請求項４】
前記第一遅延時間は、前記第二制御電源が前記第二電圧の供給を停止させる際に、前記第二電圧が、前記無線通信用集積回路の動作電圧下限値から、前記無線通信用集積回路がリセットされるリセット電圧まで低下するのに要する時間以上である
請求項３に記載の点灯装置。
【請求項５】
前記第一閾値及び前記第二閾値は、前記無線通信用集積回路の動作電圧下限値以上である
請求項３又は４に記載の点灯装置。
【請求項６】
前記第一遅延時間は、前記直流電源の起動時から動作が安定するまでに要する不安定時間より長い
請求項２〜５のいずれか１項に記載の点灯装置。
【請求項７】
前記リセット回路は、前記第一電圧が前記第二閾値未満の値から前記第二閾値以上の値に上昇したことを検知し、かつ、前記第二電圧が前記第三閾値より高く第四閾値未満であることを検知した場合に、前記第二点灯制御回路への前記第二電圧の供給を停止する
請求項１に記載の点灯装置。
【請求項８】
前記第二点灯制御回路は、外部からの入力信号に基づいて前記第一点灯制御回路へ前記発光素子の点灯又は消灯を指令する指令信号を出力する無線通信用集積回路を有し、
前記第三閾値は、前記無線通信用集積回路がリセットされるリセット電圧であり、
前記第四閾値は、前記無線通信用集積回路の動作電圧下限値である
請求項７に記載の点灯装置。
【請求項９】
前記リセット回路は、前記第二電圧が前記第四閾値以上の値から、前記第四閾値未満の値に低下したことを検知した時点から、第二遅延時間経過後に前記第二点灯制御回路への前記第二電圧の供給を開始する
請求項７又は８に記載の点灯装置。
【請求項１０】
前記第二制御電源は、三端子レギュレータを有する
請求項１〜９のいずれか１項に記載の点灯装置。
【請求項１１】
請求項１〜１０のいずれか１項に記載の点灯装置と、
前記発光素子とを備える
照明器具。
【発明の詳細な説明】
【技術分野】
【０００１】
本発明は、発光素子に直流電力を供給する点灯装置及び照明器具に関する。
【背景技術】
【０００２】
従来、リモコンなどによって遠隔操作可能な照明器具が知られている（例えば、特許文献１参照）。特許文献１に開示された照明器具は、リモコンなどからの調光信号が入力される調光信号入力回路を備える。調光信号入力回路は、スイッチング回路に調光信号に対応する信号を出力し、スイッチング回路は、調光信号に対応するデューティ比でスイッチング素子を制御する。これにより、照明器具の調光度を遠隔操作できる。
【０００３】
特許文献１に開示されたような照明器具では、調光信号入力回路などの制御回路は、例えばマイコン（ＭＣＵ；Ｍｉｃｒｏ−Ｃｏｎｔｒｏｌｌｅｒ  Ｕｎｉｔ）などの集積回路で実現される。このような集積回路の動作には、交流電源から供給された交流電力を整流及び降圧した直流電力が利用される場合がある。この場合、照明器具の主電源スイッチをオフ状態とすることによって、集積回路への電力供給が遮断される。集積回路への電力供給が遮断され、集積回路へ供給される電圧が動作電圧未満になると、集積回路が動作不定となり、正常に動作しなくなり得る。このような動作不定に起因する制御不良を防ぐために、集積回路にリセット機能が付与されている。例えば、集積回路に供給される電圧が、動作電圧未満の値に設定されたリセット電圧以下になった場合に、集積回路がリセットされる。これにより、集積回路への電力供給が再開された場合に、集積回路は正常に動作できる。
【先行技術文献】
【特許文献】
【０００４】
【特許文献１】特開２０１３−７０６１７号公報
【発明の概要】
【発明が解決しようとする課題】
【０００５】
しかしながら、例えば、照明器具の主電源スイッチのオン動作及びオフ動作を短時間で繰り返す場合、集積回路に供給される電圧が、動作電圧未満になり、リセット電圧以下になることなく、再び動作電圧下限値以上となり得る。この場合、集積回路が動作不定となったまま、リセットされないため、正常に動作しないことがある。このような集積回路の動作不良が発生した場合、照明器具をリモコンなどによって操作できない状態が生じ得る。
【０００６】
そこで、本発明は、制御回路における動作不良の発生を抑制できる点灯装置及び照明器具を提供することを目的とする。
【課題を解決するための手段】
【０００７】
上記目的を達成するため、本発明の一態様に係る点灯装置は、交流電力を供給されて発光素子に直流電力を供給する点灯装置であって、前記交流電力を直流電力に変換する直流電源と、前記直流電源を制御することによって、前記発光素子に供給する電流値を調整する第一点灯制御回路と、前記第一点灯制御回路を制御する第二点灯制御回路と、前記第一点灯制御回路に第一電圧を供給する第一制御電源と、前記第一電圧を供給されて、前記第二点灯制御回路に第二電圧を供給する第二制御電源と、前記第一電圧が第一閾値より高い値から前記第一閾値以下の値に低下したことを検知した場合に、前記第二制御電源に前記第二電圧の供給を停止させ、前記第一電圧が第二閾値未満の値から前記第二閾値以上の値に上昇したことを検知し、かつ、前記第二電圧が第三閾値より高い場合に、前記第二電圧が前記第三閾値以下に低下した後に前記第二制御電源に前記第二電圧の供給を開始させるリセット回路とを備える。
【０００８】
また、上記目的を達成するため、本発明の一態様に係る照明器具は、上記点灯装置と、上記発光素子とを備える。
【発明の効果】
【０００９】
本発明によれば、制御回路における動作不良の発生を抑制できる点灯装置及び照明器具を提供できる。
【図面の簡単な説明】
【００１０】
【図１】図１は、実施の形態１に係る点灯装置の機能構成を示すブロック図である。
【図２】図２は、実施の形態１に係る制御電源部の回路構成の他の一例を示す回路図である。
【図３】図３は、実施の形態１に係る点灯装置の動作の流れを示すフローチャートである。
【図４】図４は、実施の形態１に係る点灯装置における第一電圧及び第二電圧の時間波形の一例を示すグラフである。
【図５】図５は、比較例に係る点灯装置における第一電圧及び第二電圧の時間波形の一例を示すグラフである。
【図６】図６は、実施の形態２に係る点灯装置の機能構成を示すブロック図である。
【図７】図７は、実施の形態２に係る点灯装置の動作の一例を示すフローチャートである。
【図８】図８は、実施の形態２に係る点灯装置における第一電圧及び第二電圧の時間波形の一例を示すグラフである。
【図９】図９は、実施の形態２に係る点灯装置の動作の他の一例を示すフローチャートである。
【図１０Ａ】図１０Ａは、各実施の形態に係る点灯装置を備える照明器具の一例の外観図である。
【図１０Ｂ】図１０Ｂは、各実施の形態に係る点灯装置を備える照明器具の他の一例の外観図である。
【発明を実施するための形態】
【００１１】
以下では、本発明の実施の形態について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態などは、一例であり、本発明を限定する趣旨ではない。よって、以下の実施の形態における構成要素のうち、本発明の最上位概念を示す独立請求項に記載されていない構成要素については、任意の構成要素として説明される。
【００１２】
また、各図は、模式図であり、必ずしも厳密に図示されたものではない。また、各図において、同じ構成部材については同じ符号を付している。
【００１３】
（実施の形態１）
実施の形態１に係る点灯装置について説明する。
【００１４】
［１−１．構成］
まず、本実施の形態に係る点灯装置の構成について図面を用いて説明する。
【００１５】
図１は、本実施の形態に係る点灯装置１０の機能構成を示すブロック図である。なお、図１には、点灯装置１０に電力を供給する交流電源２と、点灯装置１０から電力を供給される発光素子４と、点灯装置１０を遠隔操作するリモコン８０とが併せて示されている。
【００１６】
交流電源２は、点灯装置１０に交流電力を供給する電源である。交流電源２は、例えば、商用交流電源などの系統電源である。
【００１７】
発光素子４は、点灯装置１０から電力を供給される光源である。発光素子４は、直流電力を供給されて発光する光源であれば特に限定されないが、例えば、ＬＥＤ（Ｌｉｇｈｔ  Ｅｍｉｔｔｉｎｇ  Ｄｉｏｄｅ）などの固体発光素子である。
【００１８】
リモコン８０は、点灯装置１０を遠隔操作するためのコントローラである。リモコン８０は、例えば、点灯装置１０を制御することで、発光素子４の点灯、消灯及び調光を行う。リモコン８０は、点灯装置１０専用のコントローラでもよいし、スマートフォンなどの汎用携帯端末であってもよい。
【００１９】
点灯装置１０は、交流電力を供給されて発光素子４に直流電力を供給する装置である。図１に示されるように、点灯装置１０は、直流電源２０と、制御電源部３０と、第一点灯制御回路４１と、第二点灯制御回路４２とを備える。
【００２０】
直流電源２０は、交流電力を直流電力に変換する電源回路である。本実施の形態では、直流電源２０は、ダイオードブリッジ２２と、昇圧コンバータ２４と、降圧コンバータ２６とを有する。なお、直流電源２０の構成は、交流電力を直流電力に変換する電源回路であれば特に限定されない。例えば、直流電源２０は、フライバックコンバータ、昇降圧コンバータなどを有してもよい。
【００２１】
ダイオードブリッジ２２は、交流電源２から供給された交流電力を整流する回路である。
【００２２】
昇圧コンバータ２４は、ダイオードブリッジ２２から出力された電圧を昇圧する回路である。昇圧コンバータ２４は、例えば、ＭＯＳＦＥＴ（Ｍｅｔａｌ−Ｏｘｉｄｅ  Ｓｅｍｉｃｏｎｄｕｃｔｏｒ  Ｆｉｅｌｄ−Ｅｆｆｅｃｔ  Ｔｒａｎｓｉｓｔｏｒ）などのスイッチング素子を有する。昇圧コンバータ２４のスイッチング素子は第一点灯制御回路４１によって制御される。昇圧コンバータ２４は、例えば、ダイオードブリッジ２２から出力された１００Ｖ程度の電圧を、２００Ｖ程度の電圧に昇圧する。
【００２３】
降圧コンバータ２６は、昇圧コンバータ２４から出力された電圧を降圧して発光素子４に供給する電源回路である。降圧コンバータ２６は、例えば、ＭＯＳＦＥＴなどのスイッチング素子を有する。降圧コンバータ２６のスイッチング素子は、第一点灯制御回路４１によって制御される。降圧コンバータ２６は、例えば、昇圧コンバータ２４から出力された２００Ｖ程度の電圧を、発光素子４に適した電圧に昇圧する。
【００２４】
第一点灯制御回路４１は、直流電源２０を制御することによって、発光素子４に供給する電流値を調整する回路である。第一点灯制御回路４１は、例えば、直流電源２０の昇圧コンバータ２４及び降圧コンバータ２６の各スイッチング素子にＰＷＭ（Ｐｕｌｓｅ  Ｗｉｄｔｈ  Ｍｏｄｕｌａｔｉｏｎ）信号を出力することで、直流電源２０を制御する。第一点灯制御回路４１を動作させるための電力は、制御電源部３０から供給される。第一点灯制御回路４１は、例えば、マイコンで実現される。マイコンは、プログラムが格納されたＲＯＭ、ＲＡＭ、プログラムを実行するプロセッサ（ＣＰＵ；Ｃｅｎｔｒａｌ  Ｐｒｏｃｅｓｓｉｎｇ  Ｕｎｉｔ）、タイマ、Ａ／Ｄ変換器やＤ／Ａ変換器を含む入出力回路などを有する１チップの半導体集積回路である。
【００２５】
第二点灯制御回路４２は、第一点灯制御回路４１を制御する回路である。本実施の形態では、第二点灯制御回路４２は、外部からの入力信号に基づいて第一点灯制御回路４１へ発光素子４の点灯、消灯又は調光を指令する指令信号を出力する無線通信用集積回路を有する。無線通信用集積回路は、第一点灯制御回路４１と同様にマイコンで実現される。
【００２６】
第二点灯制御回路４２は、例えば、リモコン８０などのコントローラからの入力信号を受信する。第二点灯制御回路４２を動作させるための電力は、制御電源部３０から供給される。第二点灯制御回路４２が有する無線通信用集積回路は、例えば、１．８Ｖの動作電圧下限値を有する。また、この無線通信用集積回路は、１．０Ｖのリセット電圧以下の電圧が供給される場合に、リセットされる。したがって、無線通信用集積回路は、１．８Ｖ以上の電圧が供給される場合に正常に動作し、１．０Ｖ以下の電圧が供給される場合には、リセットされて再起動時（つまり、再び動作電圧下限値以上の電圧が供給される時）に正常な動作を行うことができる。一方、この無線通信用集積回路は、リセット電圧（１．０Ｖ）より高く、かつ、動作電圧下限値（１．８Ｖ）未満の電圧が供給される場合には、動作不定となる。つまり、この無線通信用集積回路は、正常な動作が保証されない状態となる。なお、本実施の形態では、この無線通信用集積回路は、外部から強制的にリセットを行う機能を有さない。
【００２７】
制御電源部３０は、第一点灯制御回路４１及び第二点灯制御回路４２をそれぞれ動作させるための第一電圧及び第二電圧を生成する電源回路部である。制御電源部３０は、第一制御電源３１と、第二制御電源３２と、リセット回路５０とを有する。
【００２８】
第一制御電源３１は、第一点灯制御回路４１に第一電圧を供給する電源回路である。第一制御電源３１の構成は、第一電圧を出力する回路であれば特に限定されないが、例えば、昇圧コンバータ２４の出力電圧が入力され、当該出力電圧を降圧する降圧コンバータである。本実施の形態では、第一制御電源３１は、昇圧コンバータ２４の２００Ｖ程度の出力電圧を、５Ｖの第一電圧に降圧する。第一制御電源３１は、第一電圧を第二制御電源３２に供給する。
【００２９】
第二制御電源３２は、第一制御電源３１から第一電圧を供給されて、第二点灯制御回路４２に第二電圧を供給する電源回路である。第二制御電源３２の構成は、第一電圧が供給されて第二電圧を出力する回路であれば特に限定されないが、例えば、三端子レギュレータである。本実施の形態では、第二制御電源３２は、５Ｖの第一電圧を、３Ｖの第二電圧に降圧する。また、第二制御電源３２は、リセット回路５０によって、動作の開始及び停止、並びに、第二電圧の供給開始の遅延時間が制御される。
【００３０】
リセット回路５０は、第一電圧を監視し、第一電圧に応じて第二制御電源３２の動作を制御することによって、第二点灯制御回路４２において動作不良が発生することを抑制する回路である。より詳しくは、リセット回路５０は、第一電圧が第一閾値Ｖｔｈ１より高い値から第一閾値Ｖｔｈ１以下の値に低下したことを検知した場合に、第二制御電源３２に第二電圧の供給を停止させる。また、リセット回路５０は、第一電圧が第二閾値Ｖｔｈ２未満の値から第二閾値Ｖｔｈ２以上の値に上昇したことを検知し、かつ、第二電圧が第三閾値より高い場合に、第二電圧が第三閾値以下に低下した後に第二制御電源３２に第二電圧の供給を開始させる。
【００３１】
ここで、第一閾値Ｖｔｈ１及び第二閾値Ｖｔｈ２は、第二点灯制御回路４２の無線通信用集積回路の動作電圧下限値以上の値であり、本実施の形態では、例えば、いずれも２．４Ｖである。これにより、第一電圧が、無線通信用集積回路の動作電圧下限値未満の値となることで、第二制御電源３２の第二電圧が動作電圧下限値未満となる場合に、第二制御電源３２の動作を停止させることができる。このため、第二電圧が動作電圧下限値以上となり得る場合にだけ第二制御電源３２を動作させることができる。なお、本実施の形態では、第一閾値Ｖｔｈ１及び第二閾値Ｖｔｈ２を同一の値としているが、互いに異なる値としてもよい。例えば、第一閾値Ｖｔｈ１を２．３Ｖ、第二閾値Ｖｔｈ２を２．５Ｖとして、リセット回路５０における制御がヒステリシスを有してもよい。
【００３２】
また、第三閾値は、第二点灯制御回路４２の無線通信用集積回路のリセット電圧（１．０Ｖ）以下の値である。本実施の形態では、リセット電圧を第三閾値とする。リセット回路５０の動作の詳細については後述する。リセット回路５０は、監視回路３４と、遅延回路３６とを有する。
【００３３】
監視回路３４は、第一電圧を監視し、第一電圧に応じて、第二制御電源３２を制御する回路である。監視回路３４は、第一電圧が第一閾値Ｖｔｈ１より高い値から第一閾値Ｖｔｈ１以下の値に低下したことを検知した場合に、第二制御電源３２に第二電圧の供給を停止させるための制御信号を出力する。また、監視回路３４は、第一電圧が第二閾値Ｖｔｈ２未満の値から第二閾値Ｖｔｈ２以上の値に上昇したことを検知した場合に、第二制御電源３２に第二電圧の供給を開始させる制御信号を出力する。
【００３４】
遅延回路３６は、第二制御電源３２による第二電圧の供給開始を遅延させる回路である。本実施の形態では、遅延回路３６は、監視回路３４から第二制御電源３２に第二電圧の供給の開始させる制御信号が入力された時点から第一遅延時間Ｔｄ１が経過するまで、第二電圧の供給開始を遅延させる。なお、遅延回路３６は、第二制御電源３２による第二電圧の供給開始を遅延させるために、第二制御電源３２が制御信号を受信してから第一遅延時間Ｔｄ１後に供給を開始させてもよいし、監視回路３４から第二制御電源３２への制御信号の出力を遅延させてもよい。第一遅延時間Ｔｄ１は、例えば、５０ｍｓｅｃ以上、３００ｍｓｅｃ以下程度である。より好ましくは、第一遅延時間Ｔｄ１は、８０ｍｓｅｃ以上、２００ｍｓｅｃ以下程度である。第一遅延時間Ｔｄ１については後述する。
【００３５】
リセット回路５０が有する監視回路３４及び遅延回路３６は、例えば、コンパレータ、トランジスタ、コンデンサなどの素子を組み合わせることで実現できる。なお、監視回路３４が監視する第一電圧は、リセット回路５０を動作させるためにリセット回路５０に供給されてもよい。また、リセット回路５０の回路構成は図１に示される回路構成に限定されない。例えば、リセット回路５０の監視回路３４及び遅延回路３６を一つの集積回路で実現してもよい。このような回路構成例について図面を用いて説明する。
【００３６】
図２は、本実施の形態に係る制御電源部３０の回路構成の他の一例を示す回路図である。なお、図２には、制御電源部３０に併せて第二点灯制御回路４２も示されている。図２に示されるように、制御電源部３０は、一つの集積回路で実現されたリセット回路５０と、第一制御電源３１と、第二制御電源３２とを有する。制御電源部３０は、さらに、コンデンサ４４、５２及び５４を有する。コンデンサ４４及び５４は、それぞれ、第一制御電源３１から出力される第一電圧、及び、第二制御電源３２から出力される第二電圧を安定化させるための素子である。コンデンサ５２は、第一遅延時間Ｔｄ１を調整するための素子である。
【００３７】
図２に示されるように、第一制御電源３１の出力端子ＯＵＴから出力された第一電圧が、リセット回路５０及び第二制御電源３２の各入力端子ＩＮに入力される。なお、図２には示されないが、第一電圧は、第一点灯制御回路４１にも入力される。リセット回路５０は、出力端子ＯＵＴから第二制御電源３２の制御端子ＴＣに、第二電圧の供給の開始及び停止を制御するための制御信号を出力する。図２に示される例では、リセット回路５０の出力端子ＯＵＴから、第二電圧の供給開始を指示する制御信号を、第一電圧が第二閾値Ｖｔｈ２未満の値から第二閾値Ｖｔｈ２以上の値に上昇したことを検知した時点から第一遅延時間Ｔｄ１経過後に出力する。これにより、図１に示される点灯装置１０の構成例と同様の効果を奏することができる。さらに、図２に示される回路構成によれば、リセット回路５０を一つの集積回路で実現できるため、制御電源部３０を小型化できる。
【００３８】
［１−２．動作］
次に、本実施の形態に係る点灯装置１０の動作について図面を用いて説明する。
【００３９】
図３は、本実施の形態に係る点灯装置１０の動作の流れを示すフローチャートである。図４は、本実施の形態に係る点灯装置１０における第一電圧及び第二電圧の時間波形の一例を示すグラフである。
【００４０】
以下、図４を参照しながら、図３に示す点灯装置１０の動作の流れを説明する。
【００４１】
図３に示されるように、まず、点灯装置１０の動作を開始する（図４の時点Ｔ１及び時点Ｔ６）。点灯装置１０の動作開始に伴い、第一制御電源３１から出力される第一電圧が上昇する（図４の時点Ｔ１〜Ｔ２、及び、時点Ｔ６〜Ｔ７）。
【００４２】
点灯装置１０におけるリセット回路５０の監視回路３４は、第一電圧を監視し、第一電圧が第二閾値Ｖｔｈ２未満の値から第二閾値Ｖｔｈ２以上の値に上昇したことを検知したか否かを判断する（Ｓ１１）。
【００４３】
監視回路３４は、第一電圧が第二閾値Ｖｔｈ２未満の値から第二閾値Ｖｔｈ２以上の値に上昇したことを検知した場合には（Ｓ１１でＹＥＳ）、当該検知の時点から第一遅延時間Ｔｄ１経過後に第二制御電源３２に第二電圧の供給を開始させる（Ｓ１２）。図４に示される例では、時点Ｔ１及びＴ６において、交流電源２からの電力供給が開始され、第一制御電源３１から出力される第一電圧が上昇し始め、時点Ｔ２及びＴ７において、第一電圧が第二閾値Ｖｔｈ２（本実施の形態では、Ｖｔｈ２＝Ｖｔｈ１）となる。したがって、時点Ｔ２及びＴ７において、監視回路３４は、第二制御電源３２に第二電圧の供給を開始させるための制御信号を出力する。第二制御電源３２は、当該制御信号を受信した時点Ｔ２及びＴ７から、遅延回路３６によって定められた第一遅延時間Ｔｄ１が経過した後の時点Ｔ３及びＴ８に第二電圧の供給を開始する。図４の時点Ｔ７〜Ｔ８に示されるように、第一遅延時間Ｔｄ１は、第二制御電源３２が第二電圧の供給を停止させる際に、第二電圧が、第二点灯制御回路４２の無線通信用集積回路の動作電圧下限値（１．８Ｖ）から、リセット電圧（１．０Ｖ）まで低下するのに要する時間以上である。このため、第二制御電源３２が第二電圧の供給の再開を指示される際、第二電圧は、無線通信用集積回路のリセット電圧以下に低下している。つまり、第二電圧が、無線通信用集積回路の動作電圧下限値未満、かつ、リセット電圧より高い動作不定の範囲になった後に、リセット電圧以下まで低下することによって、時点Ｔ８では無線通信用集積回路が確実にリセットされている。したがって、無線通信用集積回路において制御不良が発生することを抑制できる。
【００４４】
ステップＳ１２の終了後、ステップＳ１３に進む。また、ステップＳ１１において、監視回路３４が、第一電圧が第二閾値Ｖｔｈ２未満の値から第二閾値Ｖｔｈ２以上の値に上昇したことを検知しなかった場合には（Ｓ１１でＮＯ）、再度ステップＳ１１に戻る。図４に示される例では、時点Ｔ１から時点Ｔ２の直前までの期間、及び、時点Ｔ６から時点Ｔ７の直前までの期間において、監視回路３４がこのような判断を行う。
【００４５】
次に、監視回路３４は、引き続き第一電圧の監視を継続し、第一電圧が第一閾値Ｖｔｈ１より高い値から第一閾値Ｖｔｈ１以下の値に低下したことを検知したか否かを判断する（Ｓ１３）。
【００４６】
監視回路３４は、第一電圧が第一閾値Ｖｔｈ１より高い値から第一閾値Ｖｔｈ１以下の値に低下したことを検知した場合には（Ｓ１３でＹＥＳ）、第二制御電源３２に第二電圧の供給を停止させる。（Ｓ１４）。例えば、図４に示される例では、時点Ｔ４において、交流電源２からの電力供給の停止などに起因して、第一制御電源３１から出力される第一電圧が低下し始め、時点Ｔ５において、第一電圧が第一閾値Ｖｔｈ１となる。したがって、時点Ｔ５において、監視回路３４は、第二制御電源３２に第二電圧の供給を停止させるための制御信号を出力する。ステップＳ１４の終了後、ステップＳ１１に戻る。
【００４７】
一方、監視回路３４は、第一電圧が第一閾値Ｖｔｈ１より高い値から第一閾値Ｖｔｈ１以下の値に低下したことを検知しなかった場合には（Ｓ１３でＮＯ）、第二制御電源３２に第二電圧の供給を停止させず、再度ステップＳ１３に戻る。図４に示される例では、時点Ｔ３から時点Ｔ４の期間などにおいて、監視回路３４がこのような判断を行う。
【００４８】
点灯装置１０は、上記のステップＳ１１からＳ１４までの動作を繰り返す。
【００４９】
以上のように、点灯装置１０では、第二点灯制御回路４２の無線通信用集積回路において制御不良が発生することを抑制できる。ここで点灯装置１０の効果を説明するために、比較例に係る点灯装置の動作例について図面を用いて説明する。
【００５０】
図５は、比較例に係る点灯装置における第一電圧及び第二電圧の時間波形の一例を示すグラフである。比較例に係る点灯装置は、リセット回路５０を備えない点以外は、本実施の形態に係る点灯装置１０と同様の構成を有する。
【００５１】
図５に示されるように、時点Ｔ１１において、比較例に係る点灯装置に交流電力の供給が開始されると、第一電圧が上昇し、これに伴って、第二電圧も上昇する。時点Ｔ１２において、交流電力の供給が停止されると、第一電圧が低下し、これに伴って、第二電圧も低下する。そして、時点Ｔ１２の直後の時点Ｔ１３において、交流電力の供給が開始されると、第一電圧が上昇し、時点Ｔ１３の直後の時点Ｔ１４に第二電圧も上昇し始め、無線通信用集積回路の動作電圧下限値を超える。上記の時点Ｔ１４において、図５に示されるように、第二電圧が、無線通信用集積回路の動作電圧下限値（１．８Ｖ）未満、かつ、リセット電圧（１．０Ｖ）より高くなり得る。この場合、無線通信用集積回路が、動作不定の状態からリセットされることなく動作電圧下限値以上の第二電圧を供給される。したがって、無線通信用集積回路において制御不良が発生し得る。
【００５２】
一方、本実施の形態に係る点灯装置１０においては、上述のとおり、第二電圧が動作不定の範囲になった後に、リセット電圧以下まで低下することによって、無線通信用集積回路が確実にリセットされている。このため、点灯装置１０では、比較例に係る点灯装置より、制御不良が発生することを抑制できる。
【００５３】
また、点灯装置１０において、第一遅延時間Ｔｄ１は、直流電源２０の起動時から動作が安定するまでに要する不安定時間より長くてもよい。これにより、第一点灯制御回路４１及び直流電源２０の動作安定化した後に、第二点灯制御回路４２の無線通信用集積回路が起動するため、直流電源２０起動時の突入電流に起因するノイズの無線通信用集積回路の通信に対する影響を抑制できる。なお、不安定時間は、例えば１００ｍｓｅｃ程度である。
【００５４】
［１−３．まとめ］
以上のように、本実施の形態に係る点灯装置１０は、交流電力を供給されて発光素子４に直流電力を供給する装置である。点灯装置１０は、交流電力を直流電力に変換する直流電源２０と、直流電源２０を制御することによって、発光素子４に供給する電流値を調整する第一点灯制御回路４１と、第一点灯制御回路４１を制御する第二点灯制御回路４２とを備える。点灯装置１０は、さらに、第一点灯制御回路４１に第一電圧を供給する第一制御電源３１と、第一電圧を供給されて、第二点灯制御回路４２に第二電圧を供給する第二制御電源３２と、リセット回路５０とを備える。リセット回路５０は、第一電圧が第一閾値Ｖｔｈ１より高い値から第一閾値Ｖｔｈ１以下の値に低下したことを検知した場合に、第二制御電源３２に第二電圧の供給を停止させる。また、リセット回路５０は、第一電圧が第二閾値Ｖｔｈ２未満の値から第二閾値Ｖｔｈ２以上の値に上昇したことを検知し、かつ、第二電圧が第三閾値より高い場合に、第二電圧が第三閾値以下に低下した後に第二制御電源３２に第二電圧の供給を開始させる。
【００５５】
これにより、第二制御電源３２に第二電圧の供給を停止させることによって、第二電圧が第三閾値以下に低下した後に、第二電圧の供給を再開させることができる。ここで第三閾値を、第二点灯制御回路４２の無線通信用集積回路がリセットされるリセット電圧以下の値とした場合には、無線通信用集積回路を確実にリセットすることができる。つまり、第二電圧が、無線通信用集積回路の動作不定の範囲になった後に、リセット電圧以下まで低下することによって、無線通信用集積回路が確実にリセットされる。このため、点灯装置１０では、第二点灯制御回路４２において制御不良が発生することを抑制できる。
【００５６】
また、点灯装置１０において、リセット回路５０は、第一電圧が第二閾値Ｖｔｈ２未満の値から第二閾値Ｖｔｈ２以上の値に上昇したことを検知した時点から、第一遅延時間Ｔｄ１経過後に第二制御電源３２に第二電圧の供給を開始させてもよい。
【００５７】
これにより、第二制御電源３２が停止されてから第二電圧が第三閾値以下に低下するために十分に長い時間を、第一遅延時間として設定することにより、第二電圧を第三閾値以下に確実に低下させることができる。また、第二制御電源３２による第二電圧の供給開始を遅延させる制御は、簡素化させた回路構成で実現できるため、点灯装置１０の構成を簡素化できる。
【００５８】
また、点灯装置１０において、第二点灯制御回路４２は、外部からの入力信号に基づいて第一点灯制御回路４１へ発光素子４の点灯、消灯又は調光を指令する指令信号を出力する無線通信用集積回路を有してもよい。
【００５９】
このように、第二点灯制御回路４２が、無線通信用集積回路を有する場合に、上述したように、無線通信用集積回路において制御不良が発生することを抑制できる。
【００６０】
また、点灯装置１０において、第一遅延時間は、第二制御電源３２が第二電圧の供給を停止させる際に、第二電圧が、無線通信用集積回路の動作電圧下限値から、無線通信用集積回路がリセットされるリセット電圧まで低下するのに要する時間以上であってもよい。
【００６１】
これにより、第二制御電源３２による第二電圧の供給を再開する際に、無線通信用集積回路が確実にリセットされている。このため、無線通信用集積回路において制御不良が発生することをより確実に抑制できる。
【００６２】
また、点灯装置１０において、第一閾値Ｖｔｈ１及び第二閾値Ｖｔｈ２は、無線通信用集積回路の動作電圧下限値以上であってもよい。
【００６３】
これにより、第一電圧が、無線通信用集積回路の動作電圧下限値未満の値となることで、第二制御電源３２の第二電圧が動作電圧下限値未満となる前に、第二制御電源３２による第二電圧の供給を停止させることができる。このため、第二電圧が動作電圧下限値以上となり得る場合にだけ第二制御電源３２を動作させることができる。
【００６４】
また、点灯装置１０において、第一遅延時間は、直流電源２０の起動時から動作が安定するまでに要する不安定時間より長い。
【００６５】
これにより、第一点灯制御回路４１及び直流電源２０の動作安定化した後に、第二点灯制御回路４２の無線通信用集積回路が起動するため、直流電源２０起動時の突入電流に起因するノイズの無線通信用集積回路の通信に対する影響を抑制できる。
【００６６】
また、点灯装置１０において、第二制御電源３２は、三端子レギュレータを有してもよい。
【００６７】
これにより、第二制御電源３２の構成を簡素化できる。
【００６８】
（実施の形態２）
実施の形態２に係る点灯装置について説明する。本実施の形態に係る点灯装置は、第二制御電源３２から出力される第二電圧を監視し、第二電圧の値に基づいて制御を行う点において、実施の形態１に係る点灯装置１０と相違する。以下、本実施の形態に係る点灯装置について実施の形態１に係る点灯装置１０との相違点を中心に説明する。
【００６９】
［２−１．構成］
本実施の形態に係る点灯装置の構成について図面を用いて説明する。
【００７０】
図６は、本実施の形態に係る点灯装置１１０の機能構成を示すブロック図である。図６に示されるように、点灯装置１１０は、実施の形態１に係る点灯装置１０と同様に、直流電源２０と、制御電源部１３０と、第一点灯制御回路４１と、第二点灯制御回路４２とを備える。点灯装置１１０は、制御電源部１３０のリセット回路１５０の構成において、実施の形態１に係る点灯装置１０と相違する。
【００７１】
リセット回路１５０は、実施の形態１に係るリセット回路５０と同様に、第一電圧が第一閾値Ｖｔｈ１より高い値から第一閾値Ｖｔｈ１以下の値に低下したことを検知した場合に、第二制御電源３２に第二電圧の供給を停止させる。また、リセット回路１５０は、第一電圧が第二閾値Ｖｔｈ２未満の値から第二閾値Ｖｔｈ２以上の値に上昇したことを検知し、かつ、第二電圧が第三閾値より高く第四閾値未満であることを検知した場合に、第二点灯制御回路４２への第二電圧の供給を遮断する。ここで、第三閾値は、第二点灯制御回路４２の無線通信用集積回路のリセット電圧（１．０Ｖ）であり、第四閾値は、第二点灯制御回路４２の無線通信用集積回路の動作電圧下限値（１．８Ｖ）である。なお、ここで、第三閾値及び第四閾値は、それぞれ、リセット電圧及び動作電圧下限値と実質的に等しければよく、完全に一致する場合に限定されない。例えば、第三閾値及び第四閾値は、それぞれ、リセット電圧及び動作電圧下限値から５％程度誤差があってもよい。
【００７２】
図６に示されるように、リセット回路１５０は、監視回路３４と、遅延回路１３６とを有する。
【００７３】
監視回路３４は、実施の形態１と同様に、第一電圧が第一閾値Ｖｔｈ１より高い値から第一閾値Ｖｔｈ１以下の値に低下したことを検知した場合に、第二制御電源３２に第二電圧の供給を停止させるための制御信号を出力する。また、監視回路３４は、第一電圧が第二閾値Ｖｔｈ２未満の値から第二閾値Ｖｔｈ２以上の値に上昇したことを検知した場合に、第二制御電源３２に第二電圧の供給を開始させる制御信号を出力する。
【００７４】
遅延回路１３６は、第二制御電源３２からの出力される第二電圧を監視し、第二電圧が第三閾値より高く第四閾値未満であることを検知した場合に、第二点灯制御回路４２への第二電圧の供給を遮断する。また、遅延回路１３６が、第二電圧が第三閾値以下、又は、第四閾値以上であることを検知した場合には、第二制御電源３２に、第二点灯制御回路４２への第二電圧の供給を開始させる。本実施の形態において、遅延回路１３６は、監視回路３４が、第一電圧が第二閾値Ｖｔｈ２未満の値から第二閾値Ｖｔｈ２以上の値に上昇したことを検知した時点から、最小遅延時間Ｔｄｍｉｎ経過した時点以降に第二電圧の供給を開始させてもよい。最小遅延時間Ｔｄｍｉｎを、直流電源２０の起動時から動作が安定するまでに要する不安定時間より長い時間に定めることで、直流電源２０起動時の突入電流に起因するノイズの無線通信用集積回路の通信に対する影響を抑制できる。
【００７５】
［２−２．動作］
次に、本実施の形態に係る点灯装置１１０の動作について図面を用いて説明する。
【００７６】
図７は、本実施の形態に係る点灯装置１１０の動作の一例を示すフローチャートである。図８は、本実施の形態に係る点灯装置１１０における第一電圧及び第二電圧の時間波形の一例を示すグラフである。
【００７７】
以下、図８を参照しながら、図７に示す点灯装置１１０の動作の流れを説明する。
【００７８】
図７に示されるように、まず、点灯装置１１０におけるリセット回路１５０の監視回路３４は、第一電圧を監視し、第一電圧が第一閾値Ｖｔｈ１より高い値から第一閾値Ｖｔｈ１以下の値に低下したことを検知したか否かを判断する（Ｓ２１）。
【００７９】
監視回路３４は、第一電圧が第一閾値Ｖｔｈ１より高い値から第一閾値Ｖｔｈ１以下の値に低下したことを検知しなかった場合には（Ｓ２１でＮＯ）、第一電圧の低下を検知するまで、ステップＳ２１を繰り返す。図８に示される例では、時点Ｔ２３から時点Ｔ２４の期間などにおいて、監視回路３４がこのような判断を行う。
【００８０】
一方、監視回路３４は、第一電圧が第一閾値Ｖｔｈ１より高い値から第一閾値Ｖｔｈ１以下の値に低下したことを検知した場合には（Ｓ２１でＹＥＳ）、第二制御電源３２に第二電圧の供給を停止させる。（Ｓ２２）。例えば、図８に示される例では、時点Ｔ２４において、交流電源２からの電力供給の停止などに起因して、第一制御電源３１から出力される第一電圧が低下し始め、時点Ｔ２５において、第一電圧が第一閾値Ｖｔｈ１となる。したがって、時点Ｔ２５において、監視回路３４は、第二制御電源３２に第二電圧の供給を停止させるための制御信号を出力する。
【００８１】
監視回路３４は、引き続き第一電圧の監視を継続し、第一電圧が第二閾値Ｖｔｈ２未満の値から第二閾値Ｖｔｈ２以上の値に上昇したことを検知したか否かを判断する（Ｓ２３）。
【００８２】
監視回路３４は、第一電圧が第二閾値Ｖｔｈ２未満の値から第二閾値Ｖｔｈ２以上の値に上昇したことを検知しなかった場合には（Ｓ２３でＮＯ）、第一電圧の上昇を検知するまで、ステップＳ２３を繰り返す。図８に示される例では、時点Ｔ２１以前の期間などにおいて、監視回路３４がこのような判断を行う。
【００８３】
一方、監視回路３４は、第一電圧が第二閾値Ｖｔｈ２未満の値から第二閾値Ｖｔｈ２以上の値に上昇したことを検知した場合には（Ｓ２３でＹＥＳ）、遅延回路１３６は、第二電圧を監視する。そして、遅延回路１３６は、第二電圧が第三閾値（１．０Ｖ）より高く第四閾値（１．８Ｖ）未満の値であることを検知したか否かを判断する（Ｓ２４）。本実施の形態では、監視回路３４は、第一電圧の上昇を検知した場合に、第二制御電源３２に動作を開始させるための制御信号を出力する。図８に示される例では、時点Ｔ２７において、監視回路３４は、第二制御電源３２に動作を開始させるための制御信号を出力する。ただし、この時点Ｔ２７では、遅延回路１３６によって、第二制御電源３２からの第二電圧の供給は停止されている。
【００８４】
遅延回路１３６は、第二電圧が第三閾値より高く第四閾値未満の値であることを検知した場合には（Ｓ２４でＹＥＳ）、第二電圧が第三閾値以下、又は第四閾値以上の値になったことを検知するまで、ステップＳ２４を繰り返す。図８に示される例では、時点Ｔ２７の直後から、時点Ｔ２８の直前まで、遅延回路１３６はこのような判断を行う。
【００８５】
一方、遅延回路１３６は、第二電圧が第三閾値より高く第四閾値未満の値であることを検知しなかった場合には（Ｓ２４でＮＯ）、監視回路３４が、第一電圧の上昇を検知した時点から、最小遅延時間Ｔｄｍｉｎ経過した時点以降に第二電圧の供給を開始させる（Ｓ２５）。つまり、監視回路３４が第一電圧の上昇を検知した時点から最小遅延時間Ｔｄｍｉｎ以上経過し、かつ、第二電圧が第三閾値以下又は第四閾値以上の値となったことを遅延回路１３６が検知した時点以降に、遅延回路１３６は、第二制御電源３２に第二電圧の供給を開始させる。
【００８６】
図８に示される例では、監視回路３４が第一電圧の上昇を検知した時点Ｔ２７から最小遅延時間Ｔｄｍｉｎより長い遅延時間Ｔｄだけ経過した時点Ｔ２８において、第二電圧が第三閾値以下の値となったことを遅延回路１３６が検知する。したがって、時点Ｔ２８において、遅延回路１３６は第二制御電源３２に第二電圧の供給を開始させる。これにより、第三閾値より高く第四閾値未満の第二電圧が第二点灯制御回路４２に供給されることを抑制できる。また、図８において、監視回路３４が第一電圧の上昇を検知した時点Ｔ２２から最小遅延時間Ｔｄｍｉｎ経過後の時点Ｔ２３において、第二電圧が第三閾値以下の値であることを遅延回路１３６が検知するため、時点Ｔ２３において、遅延回路１３６は第二制御電源３２に第二電圧の供給を開始させる。つまり、必要最小限の遅延時間の後に第二電圧の供給を開始できる。
【００８７】
点灯装置１１０は、ステップＳ２５の後、ステップＳ２１に戻り、以上の動作を繰り返す。
【００８８】
以上のように、本実施の形態に係る点灯装置１１０においては、第二電圧が第三閾値より高く第四閾値未満である場合に、第二点灯制御回路４２に第二電圧を供給しないため、第二点灯制御回路４２において制御不良が発生することを抑制できる。さらに、第二電圧が第三閾値より高く第四閾値未満でない場合には、速やかに（最小遅延時間Ｔｄｍｉｎ経過後に）、第二点灯制御回路４２に第二電圧を供給できる。このため、例えば、交流電力供給開始時から必要以上に遅延させることなく点灯装置１１０を起動させることができる。
【００８９】
［２−３．まとめ］
以上のように、本実施の形態に係る点灯装置１１０において、リセット回路１５０は、第一電圧が第二閾値Ｖｔｈ２未満の値から第二閾値Ｖｔｈ２以上の値に上昇したことを検知し、かつ、第二電圧が第三閾値より高く第四閾値未満であることを検知した場合に、第二点灯制御回路４２への第二電圧の供給を停止する。
【００９０】
これにより、実施の形態１と同様に、第二点灯制御回路４２の制御不良が発生することを抑制できる。さらに、第二電圧を監視して、第二電圧が第三閾値より高く第四閾値未満でない場合に、第二電圧の供給を開始するため、点灯装置１１０の起動を必要以上に遅延させることを抑制できる。
【００９１】
また、点灯装置１１０において、第三閾値は、無線通信用集積回路がリセットされるリセット電圧であり、第四閾値は、無線通信用集積回路の動作電圧下限値であってもよい。
【００９２】
これにより、無線通信用集積回路が動作不定となる第二電圧を第二点灯制御回路４２に供給することが抑制されるため、点灯装置１１０において制御不良が発生することを抑制できる。
【００９３】
（変形例など）
以上、本発明に係る点灯装置について、各実施の形態に基づいて説明したが、本発明は、これらの実施の形態に限定されるものではない。本発明の主旨を逸脱しない限り、当業者が思いつく各種変形を上記各実施の形態に施したものや、上記各実施の形態における一部の構成要素を組み合わせて構築される別の形態も、本発明の範囲内に含まれる。
【００９４】
例えば、上記実施の形態２に係る点灯装置１１０の動作は、図７に示される動作に限定されない。以下、図面を用いて、点灯装置１１０の他の動作例について説明する。
【００９５】
図９は、実施の形態２に係る点灯装置１１０の動作の他の一例を示すフローチャートである。
【００９６】
図９に示されるように、本動作例は、ステップＳ２１〜Ｓ２３及びＳ２５は、図７に示される動作例と同じである。一方、動作例では、ステップＳ２４において、遅延回路１３６は、第二電圧が第三閾値より高く第四閾値未満の値であることを検知した場合には（Ｓ２４でＹＥＳ）、第二遅延時間Ｔｄ２後に第二電圧の供給を開始させる（Ｓ２６）。ここで、第二遅延時間Ｔｄ２として、例えば、第二制御電源３２が第二電圧の供給を停止させる際に、第二電圧が、無線通信用集積回路の動作電圧下限値から、無線通信用集積回路がリセットされるリセット電圧まで低下するのに要する時間以上である。また、点灯装置１１０は、ステップＳ２６が終了すれば、ステップＳ２１に戻り、ステップＳ２１からＳ２６の動作を繰り返す。
【００９７】
以上のように、点灯装置１１０のリセット回路１５０は、第二電圧が第四閾値以上の値から、第四閾値未満の値に低下したことを検知した時点から、第二遅延時間Ｔｄ２経過後に第二点灯制御回路４２への第二電圧の供給を開始してもよい。
【００９８】
これにより、点灯装置１１０は、実施の形態２に係る動作と同様の効果を奏することができる。さらに、遅延回路１３６は、第二電圧を監視し続ける必要がなくなるため、遅延回路１３６の動作を簡略化できる。
【００９９】
また、上記各実施の形態における点灯装置１０及び１１０は、各種照明器具に適用できる。
【０１００】
図１０Ａ及び図１０Ｂは、点灯装置１０又は１１０を備える各種照明器具２００ａ及び２００ｂの外観図である。図１０Ａに示される照明器具２００ａは、ダウンライトであり、図１０Ｂに示される照明器具２００ｂは、スポットライトである。照明器具２００ａ及び２００ｂは、回路ボックス２０１及び灯体２０２を有し、照明器具２００ａは、さらに、配線２０３を有する。回路ボックス２０１は、上記各実施の形態に係る点灯装置１０又は１１０を収納しているボックスである。灯体２０２は、発光素子４を収納している。配線２０３は、回路ボックス２０１と灯体２０２に収納された光源とを電気的に接続している。
【０１０１】
このような照明器具２００ａ及び２００ｂは、発光素子４と、上記各実施の形態に係る点灯装置１０又は１１０とを備えるので、制御不良の発生を抑制できる。
【符号の説明】
【０１０２】
４  発光素子
１０、１１０  点灯装置
２０  直流電源
３１  第一制御電源
３２  第二制御電源
３４  監視回路
３６、１３６  遅延回路
４１  第一点灯制御回路
４２  第二点灯制御回路
５０、１５０  リセット回路
２００ａ、２００ｂ  照明器具
Ｔｄ１  第一遅延時間
Ｔｄ２  第二遅延時間
Ｖｔｈ１  第一閾値
Ｖｔｈ２  第二閾値
【図１】
2018133220.tif 000003
【図２】
2018133220.tif 000004
【図３】
2018133220.tif 000005
【図４】
2018133220.tif 000006
【図５】
2018133220.tif 000007
【図６】
2018133220.tif 000008
【図７】
2018133220.tif 000009
【図８】
2018133220.tif 000010
【図９】
2018133220.tif 000011
【図１０Ａ】
2018133220.tif 000012
【図１０Ｂ】
2018133220.tif 000013